【手続補正書】
【提出日】平成29年1月31日(2017.1.31)
【手続補正１】
【補正対象書類名】明細書
【補正対象項目名】００３９
【補正方法】変更
【補正の内容】
【００３９】
図８は、レシーバ部１２１の一動作例を表すものである。この例では、信号ＳＩＧ１は高レベル電圧ＶＨであり、信号ＳＩＧ２は低レベル電圧ＶＬである。このとき、信号ＳＩＧ３の電圧は、抵抗素子１２４〜１２６により、中レベル電圧ＶＭに設定される。この場合には、入力端子Ｔin21、抵抗素子１２４、抵抗素子１２５、入力端子Ｔin22の順に電流Ｉinが流れる。そして、アンプ１２７の正入力端子には高レベル電圧ＶＨが供給されるとともに負入力端子には低レベル電圧ＶＬが供給され、アンプ１２７は“１”を出力する。また、アンプ１２８の正入力端子には低レベル電圧ＶＬが供給されるとともに負入力端子には中レベル電圧ＶＭが供給され、アンプ１２８は“０”を出力する。また、アンプ１２９の正入力端子には中レベル電圧ＶＭが供給されるとともに負入力端子には高レベル電圧ＶＨが供給され、アンプ１２９は“０”を出力するようになっている。
【手続補正２】
【補正対象書類名】明細書
【補正対象項目名】００９５
【補正方法】変更
【補正の内容】
【００９５】
図２９は、本変形例に係る送信装置１Ｈにおける他の送信部１０Ｈの一構成例を表すものである。送信部１０Ｈは、反転論理積回路４１Ｅ〜４６Ｅおよび反転排他的論理和回路５１Ｆ〜５６Ｆを有している。すなわち、送信部１０Ｈは、例えば、送信部１０Ｅ（図２０）において、排他的論理和回路５１Ｅ〜５６Ｅを、反転排他的論理和回路５１Ｆ〜５６Ｆに置き換えたものである。言い換えれば、送信部１０Ｈは、例えば、送信部１０Ｆ（図２５）において、反転論理積回路４１Ｆ〜４６Ｆを、反転論理積回路４１Ｅ〜４６Ｅに置き換えたものである。
【手続補正３】
【補正対象書類名】明細書
【補正対象項目名】０１０７
【補正方法】変更
【補正の内容】
【０１０７】
ドライバ部ＤＲＶ１１は、信号Ｓ２４１，Ｓ２５１に基づいて、信号ＳＩＧ１を生成するものである。ドライバ部ＤＲＶ１２は、信号Ｓ２４２，Ｓ２５２に基づいて、信号ＳＩＧ２を生成するものである。ドライバ部ＤＲＶ１３は、信号Ｓ２４３，Ｓ２５３に基づいて、信号ＳＩＧ３を生成するものである。ドライバ部ＤＲＶ１４は、信号Ｓ２４４，Ｓ２５４に基づいて、信号ＳＩＧ４を生成するものである。ドライバ部ＤＲＶ１５は、信号Ｓ２４５，Ｓ２５５に基づいて、信号ＳＩＧ５を生成するものである。ドライバ部ＤＲＶ１６は、信号Ｓ２４６，Ｓ２５６に基づいて、信号ＳＩＧ６を生成するものである。
【手続補正４】
【補正対象書類名】明細書
【補正対象項目名】０１２７
【補正方法】変更
【補正の内容】
【０１２７】
図４０は、動作モードＭ２におけるドライバ部ＤＲＶ１１〜ＤＲＶ１３の動作を表すものである。例えば、信号Ｓ１１，Ｓ１２，Ｓ１３が“１”，“０”，“０”である場合には、信号Ｓ２４１，Ｓ２５１が“０”，“１”になり、信号Ｓ２４２，Ｓ２５２が“１”，“０”になり、信号Ｓ２４３，Ｓ２５３が“０”，“０”になる。よって、例えば、ドライバ部ＤＲＶ１３は、信号Ｓ２４３，Ｓ２５３が“０”，“０”であるため、信号ＳＩＧ３を中レベル電圧ＶＭに設定する。
【手続補正５】
【補正対象書類名】明細書
【補正対象項目名】０１３８
【補正方法】変更
【補正の内容】
【０１３８】
図４４は、ドライバ部ＤＲＶ２１の一構成例を表すものである。なお、以下ではドライバ部ＤＲＶ２１を例に説明するが、ドライバ部ＤＲＶ２２〜ＤＲＶ２６についても同様である。ドライバ部ＤＲＶ２１は、反転回路４５１と、セレクタ４５２と、バッファ回路４５３，４５４と、反転回路４６１と、セレクタ４６２，４６３と、バッファ回路４６４，４６５とを有している。反転回路４５１は、信号Ｓ４４１を反転して出力するものである。セレクタ４５２は、制御信号ＭＢに基づいて、信号Ｓ４５１、および反転回路４５１の出力信号のうちの一方を選択して、出力するものである。バッファ回路４５３は、信号Ｓ４４１に基づいて信号ＵＰ１を生成するものである。バッファ回路４５４は、セレクタ４５２の出力信号に基づいて信号ＤＮ１を生成するものである。反転回路４６１は、信号Ｓ４４１を反転して出力するものである。セレクタ４６２は、信号Ｓ４６１，Ｓ４４１のうちの一方を選択して、出力するものである。セレクタ４６３は、信号Ｓ４７１、および反転回路４６１の出力信号のうちの一方を選択して、出力するものである。バッファ回路４６４は、セレクタ４６２の出力信号に基づいて信号ＵＰ２を生成するものである。バッファ回路４６５は、セレクタ４６３の出力信号に基づいて信号ＤＮ２を生成するものである。
【手続補正６】
【補正対象書類名】明細書
【補正対象項目名】０１４２
【補正方法】変更
【補正の内容】
【０１４２】
図４５Ａ，４５Ｂは、動作モードＭ１における送信部７０Ｂの一動作例を表すものであり、図４５Ａは一の動作状態を示し、図４５Ｂは他の動作状態を示す。動作モードＭ１では、制御部２２０は、セレクタ４２１〜４２６に対して、“０”を示す制御信号ＭＢを供給し、セレクタ４２１〜４２６が信号Ｓ１１〜Ｓ１６を選択して出力するようにそれぞれ制御する。そして、制御部２２０は、第１の実施の形態の場合（図１２Ａ，１２Ｂ）と同様に、セレクタ４４１に対して制御信号ＳＥＬ１を供給し、セレクタ４４１が信号Ｐ４３１と信号Ｐ４３２を交互に選択して出力するように制御するとともに、セレクタ４４２に対して制御信号ＳＥＬ２を供給し、セレクタ４４２が信号Ｎ４３１とセレクタ４３７の出力信号（信号Ｎ４３２）を交互に選択して出力するように制御する。そして、制御部２２０は、ドライバ部ＤＲＶ２１〜ＤＲＶ２６に対して、“０”を示す制御信号ＭＢを供給し、例えば、ドライバ部ＤＲＶ２１が信号Ｓ４４１に基づいて信号ＳＩＧ１を生成し、ドライバ部ＤＲＶ２２が信号Ｓ４４２に基づいて信号ＳＩＧ２を生成するように制御する。これにより、動作モードＭ１では、送信装置２Ｂは、第１の実施の形態の場合（図１２Ａ，１２Ｂ）と同様に、受信装置に対して差動信号によりデータを送信する。
【手続補正７】
【補正対象書類名】明細書
【補正対象項目名】０１４３
【補正方法】変更
【補正の内容】
【０１４３】
図４６は、動作モードＭ２における送信部７０Ｂの一動作例を表すものである。図４７は、動作モードＭ２におけるドライバ部ＤＲＶ２１〜ＤＲＶ２３の動作を表すものである。動作モードＭ２では、制御部２２０は、セレクタ４２１〜４２６に対して、“１”を示す制御信号ＭＢを供給し、セレクタ４２１〜４２６がエンコーダ４１１〜４１６の出力端子Ｏｕｔ１から出力された信号を選択して出力するようにそれぞれ制御する。そして、制御部２２０は、ドライバ部ＤＲＶ２１〜ＤＲＶ２６に対して、“１”を示す制御信号ＭＢを供給し、例えば、ドライバ部ＤＲＶ２１が信号Ｓ４４１，Ｓ４５１，Ｓ４６１，Ｓ４７１に基づいて信号ＳＩＧ１を生成するように制御する。
【手続補正８】
【補正対象書類名】明細書
【補正対象項目名】０１４４
【補正方法】変更
【補正の内容】
【０１４４】
これにより、図４７に示したように、例えば、信号Ｓ１１，Ｓ１２，Ｓ１３が“１”，“０”，“０”である場合には、信号Ｓ４４１，Ｓ４５１，Ｓ４６１，Ｓ４７１が“１”，“０”，“１”，“０”になり、信号Ｓ４４２，Ｓ４５２，Ｓ４６２，Ｓ４７２が“０”，“１”，“０”，“１”になり、信号Ｓ４４３，Ｓ４５３，Ｓ４６３，Ｓ４７３が“１”，“１”，“０”，“０”になる。よって、ドライバ部ＤＲＶ２１は、信号Ｓ４４１，Ｓ４５１，Ｓ４６１，Ｓ４７１が“１”，“０”，“１”，“０”であるため、信号ＳＩＧ１を高レベル電圧ＶＨに設定する。また、ドライバ部ＤＲＶ２２は、信号Ｓ４４２，Ｓ４５２，Ｓ４６２，Ｓ４７２が“０”，“１”，“０”，“１”であるため、信号ＳＩＧ２を低レベル電圧ＶＬに設定する。また、ドライバ部ＤＲＶ２３は、信号Ｓ４４３，Ｓ４５３，Ｓ４６３，Ｓ４７３が“０”，“１”，“０”，“１”であるため、信号ＳＩＧ３を中レベル電圧ＶＭに設定する。これにより、動作モードＭ２では、送信装置２Ｂは、第１の実施の形態の場合（図１４）と同様に、受信装置に対して３相信号によりデータを送信する。
【手続補正９】
【補正対象書類名】図面
【補正対象項目名】図２
【補正方法】変更
【補正の内容】
【図２】
2016006937.tif 000001
【手続補正１０】
【補正対象書類名】図面
【補正対象項目名】図１２Ａ
【補正方法】変更
【補正の内容】
【図１２Ａ】
2016006937.tif 000002
【手続補正１１】
【補正対象書類名】図面
【補正対象項目名】図１２Ｂ
【補正方法】変更
【補正の内容】
【図１２Ｂ】
2016006937.tif 000003
【手続補正１２】
【補正対象書類名】図面
【補正対象項目名】図１４
【補正方法】変更
【補正の内容】
【図１４】
2016006937.tif 000004
【手続補正１３】
【補正対象書類名】図面
【補正対象項目名】図１６
【補正方法】変更
【補正の内容】
【図１６】
2016006937.tif 000005
【手続補正１４】
【補正対象書類名】図面
【補正対象項目名】図２０
【補正方法】変更
【補正の内容】
【図２０】
2016006937.tif 000006
【手続補正１５】
【補正対象書類名】図面
【補正対象項目名】図２１Ａ
【補正方法】変更
【補正の内容】
【図２１Ａ】
2016006937.tif 000007
【手続補正１６】
【補正対象書類名】図面
【補正対象項目名】図２１Ｂ
【補正方法】変更
【補正の内容】
【図２１Ｂ】
2016006937.tif 000008
【手続補正１７】
【補正対象書類名】図面
【補正対象項目名】図２２
【補正方法】変更
【補正の内容】
【図２２】
2016006937.tif 000009
【手続補正１８】
【補正対象書類名】図面
【補正対象項目名】図２４
【補正方法】変更
【補正の内容】
【図２４】
2016006937.tif 000010
【手続補正１９】
【補正対象書類名】図面
【補正対象項目名】図２５
【補正方法】変更
【補正の内容】
【図２５】
2016006937.tif 000011
【手続補正２０】
【補正対象書類名】図面
【補正対象項目名】図２７
【補正方法】変更
【補正の内容】
【図２７】
2016006937.tif 000012
【手続補正２１】
【補正対象書類名】図面
【補正対象項目名】図２９
【補正方法】変更
【補正の内容】
【図２９】
2016006937.tif 000013
【手続補正２２】
【補正対象書類名】図面
【補正対象項目名】図３８
【補正方法】変更
【補正の内容】
【図３８】
2016006937.tif 000014